(57)【特許請求の範囲】
【請求項１】
衛生洗浄装置のケーシング内に、吸振部材を用いて組込んだポンプユニットが、前記装置の輸送・取扱中に受ける衝撃力により過度に揺動する不具合を防ぐ為の機構であって、
ポンプユニットＡに取着した脚部材４は、ケーシング１に取着したベース金具６に、吸振部材７を介して取付けられており、
板材を曲げ加工して作られたベース金具６の立上部６ａには、刳抜孔状の遊嵌部９を、脚部材４には、前記過度の揺動を阻止する為の揺動規制部材８を、夫々取付けてあり、
揺動規制部材８は、ベース金具６の立上部６ａと正対する垂直面と、その末端から延設した水平部８ａとを備えており、
前記装置の静置時には、水平部８ａの先端部分が、刳抜孔状の遊嵌部９に中央部に遊嵌状態で位置されていることを特徴とする衛生洗浄装置の揺動抑制機構。
【発明の詳細な説明】
【０００１】
【産業上の利用分野】
本発明は、振動や騒音を抑制する為に、吸振部材を用いてケーシング内に組込んだポンプユニットが、装置の輸送・取扱中に受ける衝撃力により過度に揺動して、ケーシングや隣接する他の部材に損傷を与える恐れを解消させた、便器用の衛生洗浄装置の揺動抑制機構に関する。
【０００２】
【従来の技術】
トイレットペーパーの代わりに、体の汚れた部分に温水を噴射して洗浄した後、温風を吹き付けて乾かす方式の衛生洗浄装置は、便座の後部に組付けられるので、騒音・振動の発生源となるポンプユニットは、吸振部材を介して装置のケーシング（ベース部材）に固定して、使用中に不快感を与えないようにしている。本願出願人は、先に、この固定作業を極力簡易に行えて、且つ、ナットが振動で緩む不都合も生じないように、ボルト・ナットを使わない、嵌着式のポンプユニット取付構造を創案し、実願昭６３−１１４３３１（実公平６−４９６５５）として実用新案登録出願している。
【０００３】
【発明が解決しようとする課題】
上記衛生洗浄装置は、ポンプユニットの他に、ヒータを内蔵する貯湯タンク、温水噴射ユニット、ドライヤー等を、極力コンパクトにまとめた状態で、１つのケーシング内に収容している。
その為、衛生洗浄装置の輸送・取扱中に、例えば、輸送トラックが急激に加速・減速したり、作業者が誤って取り落とす等して、吸振部材に支持されているポンプユニットが激しく揺動し、ケーシングや、近接して配置された他の部材にぶつかって損傷する恐れが多分にある。そして、極端な場合には、ポンプユニットそのものが、その嵌着箇所から脱落してしまう可能性も皆無ではない。
そこで本発明の目的は、装置のケーシング内に、吸振部材を用いて組込まれたポンプユニットが、装置の輸送・取扱中に受ける衝撃力によって過度に揺動するのを防ぐ為の、衛生洗浄装置の揺動抑制機構を提供するにある。
【０００４】
【課題を解決するための手段】
上記の目的を達成する為の、本発明による衛生洗浄装置の揺動抑制機構は、  吸振部材を用いてケーシング内に組込んだポンプユニットが、衛生洗浄装置の輸送・取扱中に受ける衝撃力により、過度に揺動する不具合を防ぐための機構であって、
衛生洗浄装置は、ポンプユニットＡに取着した脚部材４を、装置のケーシング１に取着したベース金具６に、吸振部材７を介して取付ける構成を備えており、前記ポンプユニットＡ側に揺動規制部材８を取着すると共に、前記ケーシング１側には、前記揺動規制部材８の一部を遊嵌させる遊嵌部９を設け、
前記衝撃力を受けた時、常時は前記遊嵌部９内の中央部に位置する前記揺動規制部材８の一部が、遊嵌部９の周縁部分に当接するか、又は、前記揺動規制部材８が前記ベース金具６に当接して、ポンプユニットＡの過度の揺動を制止する構成とした。
そして、板材を曲げ加工して作られた前記ベース金具６の、立上部６ａに刳抜孔状に設けた前記遊嵌部９に、前記揺動規制部材８の横向きに突出した水平部８ａを遊嵌させるようにするとよい。
又、前記揺動規制部材８は、前記ポンプユニットＡに取着した脚部材４に一体に設けるとよい。
【０００５】
【作用】
ケーシング１内に、吸振部材７に支持された状態で収容されているポンプユニットＡには、揺動規制部材８が取着されている。
常時は、揺動規制部材８の一部が、ケーシング１側に取着したベース金具６に設けた遊嵌孔９内の中央部に位置している。
衛生洗浄装置の輸送・取扱中に、例えば、輸送トラックが急激に加速・減速したり、作業者が装置を取り落とす等した場合には、吸振部材７に支持されたポンプユニットＡが異常に大きく揺動して、隣接して配置された他の部材やケーシング１にぶつかる恐れが極めて大きい。
然し、そのような場合には、常時は遊嵌孔９内の中央部に位置する揺動規制部材８の一部が、遊嵌部９の周縁部分に当接するか、又は、揺動規制部材８がベース金具６に当接して、上記の過度の揺動が制止される。
そして、遊嵌孔９は、ポンプユニットＡの取付用のベース金具６に刳抜孔状に設け、又、揺動規制部材８は、ポンプユニットＡの脚部材４に連設すれば、制振機構の構成が単純化されて、より安価に提供出来る。
【０００６】
【実施例】
以下に、本発明の一実施例を、図面を参照しながら説明する。
図１は、衛生洗浄装置１００を組付けた、洋式便器２００を示している。
衛生洗浄装置１００の概略の構成は、図３に示したように、上下二分割式のケーシング１の内部に、図２に示したように、洗浄水を与圧するポンプユニットＡ、ヒータを内蔵する貯湯タンクＢ、体の汚れた部分に温水を吹き付ける温水噴射ユニットＣ、温風ドライヤーＤ等を、相互に近接させてコンパクトに組込んでいる。
ケーシング１の一方の側端には、装置の制御部Ｅを連設している。
【０００７】
ポンプユニットＡは、図３〜６に示したように、ポンプ２とその駆動用モータ３とを同軸状に連結させた形態を備えている。２ａはポンプの吸込口、２ｂは吐出口である。
合成樹脂製のケーシング１の底面上には、その前後方向（図３では左右方向）に所定間隔を隔てた２箇所に、頂部に螺孔を設けた小支柱１ａを、夫々左右に所定間隔を隔てて１組づつ、計４箇所に突設している。
【０００８】
図６に示したように、モータ３の底面には、軸方向の両端に脚部材４を夫々取着している。
上記の各１組の小支柱１ａ，１ａ間には、ベース金具６を夫々跨座状に載置し、ビス５により螺止め固定している。
そして、各脚部材４は、吸振部材７を介して、ベース金具６上に据置き固定される。
【０００９】
脚部材４は、図９に示したように板材を曲げ加工して作られ、モータ軸と直交方向に外向きに延びる両端部には、吸振部材７を着脱自在に連結させる為の、挿嵌孔４ａを夫々設けている。この挿嵌孔４ａには、吸振部材７をスライド式に嵌着させる為の挿嵌用スリットａを、脚部材４の両端から切込状に設けている。
【００１０】
脚部材４の側面中央部には、板材をＬ字形に折曲させた如き形状の揺動規制部材８を、その水平部８ａを外側に向けて連設している。
【００１１】
ベース金具６は、図８に示したように、方形の板材を略Ｚ形に折曲させた如き形態を備えている。
そして、その立上部６ａの真ん中部分には、横長矩形状の遊嵌孔（遊嵌部）９を設けている。この遊嵌孔９には、図１０に示したように、揺動規制部材８の水平部８ａがゆとりをもって遊嵌される。
ベース金具６の上側水平部６ｂの両端近くには、ビス５を通すビス孔ｂを夫々設け、下側水平部６ｃの両端近くには、所定径の貫孔ｃを夫々設けている。
【００１２】
ゴム製の吸振部材７は、図７，８に示した形態を備えており、図６及び９，１０に示したように、脚部材４とベース金具６との間に介在させるように組付けて、ポンプユニットＡが発する振動や騒音を減衰させる役割を果す。
この吸振部材７は、ベース金具６の下側水平部６ｃ上に載置する帯板状の基板７ａを備え、その下面両側には、貫孔ｃに挿嵌させる嵌合突起７ｂを設けている。
基板７ａの上面両側には、小円柱状の制振支柱７ｃを夫々立設している。制振支柱７ｃの上端には膨出頭部７ｄを設け、更に、その下側にフランジ状の受け座７ｅを設けて、この両者間に環状のくびれ部ｄを形成させている。
【００１３】
次に、上記構成の作用を説明する。
ケーシング１内の底面に、ポンプユニットＡを据置・固定するには、先ず、ベース金具６をこの底面に固定する。
それには、ベース金具６の下側水平部６ｃの上面に接着剤を塗布したうえ、図８に示したように、吸振部材７の基盤７ａを、その裏面側の嵌合突起７ｂを貫孔ｃに挿嵌させた状態で、前記上面に固着させる。
次いで、このベース金具６の上側水平部６ｂを、図１０に示したように１組の小支柱１ａ，１ａ間に跨がらせて載置し、ビス５で締付ければ、ベース金具６は、その下側水平部６ｃが浮き上がった状態でケーシング１の底部に固定される。
【００１４】
そこで、図９に示したように、ポンプユニットＡの脚部材４の両端の挿嵌用スリットａを、吸振部材７のくびれ部ｄに強く押し込めば、このくびれ部ｄを設けた部分の太さは、挿嵌用スリットａの幅よりやや太く作られているので、この部分が抜止状態で挿嵌孔４ａに嵌め込まれて、ポンプユニットＡの取付は、簡単迅速に完了する。
この取付状態で、揺動規制部材８の水平部８ａは、図１０に示したように、ベース金具６の遊嵌孔９内の中央部に十分ゆとりをもって挿し込まれている。
【００１５】
必要に応じて、このポンプユニットＡを取外すには、１対の吸振部材７を互いに隔てる方向に押しやって、くびれ部ｄを脚部材４の挿嵌孔４ａ内から引き出せばよい。
【００１６】
ポンプユニットＡの運転中は、ポンプ２のインペラ（図示略）やモータ３の回転に伴って、振動や騒音が発生するが、この振動エネルギーは、制振支柱７ｃを揺動させることを通じて有効に減衰されるので、静かなトイレの中でも殆ど気にならなくて済む。
【００１７】
ところが、衛生洗浄装置１００の輸送・取扱中に、例えば、輸送トラックが急激に加速・減速したり、取扱者が誤って取り落とす等して、ポンプユニットＡに異常に大きな衝撃力が及ぼされることも有り得る。
その場合には、吸振部材７の揺動幅が著しく大きくなって、狭いケーシング１内に収容されているポンプユニットＡが、ケーシング１や近接して位置する貯湯タンクＢ等に衝突する恐れが生ずる。
【００１８】
然し、そのような場合には、ポンプユニットＡ側に設けた揺動規制部材８と、ベース金具６側に設けた遊嵌孔９との連携作用によって、この衝突の恐れを解消させる。
この連携作用を図１１〜１５を参照しながら以下に説明する。
ポンプユニットＡの運転中は、吸振部材７の揺動振幅は極く小さく、ポンプユニットＡは殆ど静止に近い状態にあり、吸振部材７の制振支柱７ｃは、図６に示したように略直立している。
【００１９】
ところが、図１１に示した様に、万一、誤って衛生洗浄装置１００を逆さまに落下させてしまった場合には、制振支柱７ｃが、ポンプユニットＡの重みによって大幅に伸長し、ポンプユニットＡのケーシング１が天井面等に衝突する恐れが生ずる。
然し、この衝突の寸前に、揺動規制部材８の水平部８ａが、ベース金具６の遊嵌部９の上縁部に当接するように、此等の部材の寸法や配置を予め設定してあるので、この衝突は確実に阻止される。
【００２０】
又、衝撃力によって、図１２に示したように、重いポンプユニットＡがその慣性により、図中に太い矢印で示したように、相対的に、ケーシング１の後壁側に押しやられる場合もある。
然し、図中に符号Ｇと矢印で示したように、ポンプユニットＡがケーシング１と衝突する寸前に、揺動規制部材８が、ベース金具６の立上部６ａに当接して、ポンプユニットＡのそれ以上の後方移動を阻止してくれる。
【００２１】
図１３は、衝撃力によって、ポンプユニットＡがケーシング１の前壁側に押しやられた場合を示している。
この場合の作用も、図から理解されるように上記と同様である。
【００２２】
図１４は、衝撃力によって、ポンプユニットＡがケーシング１の左壁側に押しやられた場合を示している。
この場合は、図中に符号Ｇと矢印で示したように、ポンプユニットＡの一部がケーシング１と衝突する寸前に、遊嵌孔９内の中央部に位置していた揺動規制部材８の水平部８ａが、この遊嵌孔９の左側の孔縁部に当接して、ポンプユニットＡのそれ以上の左方変位を阻止してくれる。
【００２３】
図１５は、衝撃力によって、ポンプユニットＡがケーシング１の右側に向けて押しやられた場合を示している。
この場合は、水平部８ａが遊嵌孔９の右側の孔縁部に当接することによって、図中に符号Ｇと矢印で示したように、ポンプユニットＡが貯湯タンクＢと衝突する寸前に、それ以上の右方変位を阻止してくれる。
【００２４】
尚、上記構成に於いて、細部の構造は適宜に変更しても本発明の目的は達成される。
例えば、揺動規制部材８は、脚部材４を介さずに直接ポンプユニットＡに取着してもよいし、その形状も単なる棒材の類い等であってもよい。
そして、揺動規制部材８やベース金具６の形状の如何に応じて、遊嵌部（遊嵌孔９）の形成方法や形状も、請求項に記された構成要件を満たす限りに於いて、適宜に変更すればよい。又、吸振部材７はコイルばね等でもよい。
【００２５】
【発明の効果】
以上の説明によって明らかなように、本発明による衛生洗浄装置の揺動抑制機構は、以下に列挙した如き実用上の優れた効果を奏する。
（ａ）  衛生洗浄装置の輸送・取扱中に万一異状に大きな衝撃力を受けても、装置が損傷を被る恐れは確実に無くなる。
（ｂ）  この機構の構成部材は、ポンプユニットの脚部材や、取付用のベース金具をそのまま流用出来る。
（ｃ）  その為、構成は極めて簡素化し、余分な資材を使わずに極く安価に作れる。
（ｄ）  この機構を設けても、吸振部材の吸振性能は全く損なわれない。
（ｅ）  むしろ、この機構を設けることによって、吸振性能がより優れる反面応力変形し易い為に採用し難い材料でも、安心して使えるようになる。
【図面の簡単な説明】
【図１】本発明の一実施例を示すもので、衛生洗浄装置を取付けた便器の斜視図である。
【図２】同上、衛生洗浄装置の透視平面図である。
【図３】同上、ケーシングの一部を破断して示す、衛生洗浄装置の側面図である。
【図４】同上、衛生洗浄装置の内部を示す部分平面図である。
【図５】同上、ポンプユニット部分を示す正面図である。
【図６】同上、ポンプユニット部分の側面図である。
【図７】同上、吸振部材の正面図である。
【図８】同上、ベース金具、及びこの金具への吸振部材の取付方法を示した斜視図である。
【図９】同上、ベース金具へのポンプユニットの取付方法を説明した斜視図である。
【図１０】同上、ポンプユニットの取付けを終えた状態の斜視図である。
【図１１】同上、衝撃力を受けた時に、ポンプユニットの上方向きの揺動を抑制する作用の説明図である。
【図１２】同上、衝撃力を受けた時に、ポンプユニットの後方向きの揺動を抑制する作用の説明図である。
【図１３】同上、衝撃力を受けた時に、ポンプユニットの前方向きの揺動を抑制する作用の説明図である。
【図１４】同上、衝撃力を受けた時に、ポンプユニットの左方向きの揺動を抑制する作用の説明図である。
【図１５】同上、衝撃力を受けた時に、ポンプユニットの右方向きの揺動を抑制する作用の説明図である。
【符号の説明】
１００  衛生洗浄装置
２００  便器
Ａ  ポンプユニット
Ｂ  貯湯タンク
１  ケーシング
１ａ  小支柱
２  ポンプ
３  モータ
４  脚部材
４ａ  挿嵌孔
５  ビス
６  ベース金具
６ａ  立上部
６ｂ  上側水平部
６ｃ  下側水平部
７  吸振部材
７ａ  基盤
７ｂ  嵌合突起
７ｃ  制振支柱
７ｄ  膨出頭部
７ｅ  受け座
８  揺動規制部材
９  遊嵌孔（遊嵌部）
ａ  挿嵌用スリット
ｂ  ビス孔
ｃ  貫孔
ｄ  くびれ部
【図１】
0003565946.tif 000002
【図２】
0003565946.tif 000003
【図３】
0003565946.tif 000004
【図４】
0003565946.tif 000005
【図５】
0003565946.tif 000006
【図６】
0003565946.tif 000007
【図７】
0003565946.tif 000008
【図８】
0003565946.tif 000009
【図９】
0003565946.tif 000010
【図１０】
0003565946.tif 000011
【図１１】
0003565946.tif 000012
【図１２】
0003565946.tif 000013
【図１３】
0003565946.tif 000014
【図１４】
0003565946.tif 000015
【図１５】
0003565946.tif 000016